(57)【要約】【課題】二偏波信号をモニタリングするシステムおよび方法が開示される。【解決手段】システムおよび方法は、電気領域または光領域のいずれかにおいて、第一の監督信号を二偏波信号の第一の偏波成分に加えて第一の合成信号を得て、第二の監督信号を二偏波信号の第二の偏波成分に加えて第二の合成信号を得ることを含む。監督信号は任意の、非相補的なものであり、二偏波信号の変調周波数よりも実質的に低い振幅で変調される。システムおよび方法はさらに、受領の際に監督信号を解析することを含む。【選択図】図１
2015089123.tif 000002
【特許請求の範囲】
【請求項１】
二偏波信号をモニタリングする方法であって：
電気領域において、第一の監督信号を前記二偏波信号の第一の偏波成分に加えて第一の合成信号を得る段階と；
電気領域において、第二の監督信号を前記二偏波信号の第二の偏波成分に加えて第二の合成信号を得る段階とを含み、
前記第一および第二の監督信号は：
非相補的なものであり、
前記二偏波信号の振幅よりも実質的に低い振幅で変調される、
方法。
【請求項２】
前記第一および第二の監督信号が異なる変調振幅をもつ、請求項１記載の方法。
【請求項３】
前記第一および第二の監督信号が異なる周波数をもつ、請求項１記載の方法。
【請求項４】
前記第一の合成信号および前記第二の合成信号を合成データ信号に組み合わせる段階をさらに含む、請求項１記載の方法。
【請求項５】
前記第一の監督信号を前記合成データ信号からフィルタリングする段階をさらに含む、請求項４記載の方法。
【請求項６】
前記第一の監督信号を解析して前記二偏波信号の前記第一の偏波成分に関連する波長情報を判別する段階をさらに含む、請求項５記載の方法。
【請求項７】
前記第一の監督信号を解析して前記二偏波信号の前記第一の偏波成分に関連する光路情報を判別する段階をさらに含む、請求項５記載の方法。
【請求項８】
前記第二の監督信号を前記合成データ信号からフィルタリングする段階をさらに含む、請求項４記載の方法。
【請求項９】
前記第二の監督信号を解析して前記二偏波信号の前記第二の偏波成分に関連する波長情報を判別する段階をさらに含む、請求項８記載の方法。
【請求項１０】
前記第二の監督信号を解析して前記二偏波信号の前記第二の偏波成分に関連する光路情報を判別する段階をさらに含む、請求項９記載の方法。
【請求項１１】
二偏波信号をモニタリングする方法であって：
光領域において、第一の監督信号を前記二偏波信号の第一の偏波成分に加えて第一の合成信号を得る段階と；
光領域において、第二の監督信号を前記二偏波信号の第二の偏波成分に加えて第二の合成信号を得る段階とを含み、
前記第一および第二の監督信号は：
非相補的なものであり、
前記二偏波信号の振幅よりも実質的に低い振幅で変調される、
方法。
【請求項１２】
前記第一および第二の監督信号が異なる変調振幅をもつ、請求項１１記載の方法。
【請求項１３】
前記第一および第二の監督信号が異なる周波数をもつ、請求項１１記載の方法。
【請求項１４】
前記第一の合成信号および前記第二の合成信号を合成データ信号に組み合わせる段階をさらに含む、請求項１１記載の方法。
【請求項１５】
前記第一の監督信号を前記合成データ信号からフィルタリングする段階をさらに含む、請求項１４記載の方法。
【請求項１６】
前記第一の監督信号を解析して前記二偏波信号の前記第一の偏波成分に関連する波長情報を判別する段階をさらに含む、請求項１５記載の方法。
【請求項１７】
前記第一の監督信号を解析して前記二偏波信号の前記第一の偏波成分に関連する光路情報を判別する段階をさらに含む、請求項１５記載の方法。
【請求項１８】
前記第二の監督信号を前記合成データ信号からフィルタリングする段階をさらに含む、請求項１４記載の方法。
【請求項１９】
前記第二の監督信号を解析して前記二偏波信号の前記第二の偏波成分に関連する波長情報を判別する段階をさらに含む、請求項１８記載の方法。
【請求項２０】
前記第二の監督信号を解析して前記二偏波信号の前記第二の偏波成分に関連する光路情報を判別する段階をさらに含む、請求項１９記載の方法。
【請求項２１】
第一の偏波成分および第二の偏波成分を含む主データ信号を生成するよう構成されている主データ源と；
第一の監督信号および第二の監督信号を生成するよう構成されている監督データ源であって、前記第一および第二の監督信号は非相補的な、周波数変調された監督信号である、段階と；
前記第一の監督信号を前記主データ信号の前記第一の偏波成分に加えて第一の合成信号を得て、前記第二の監督信号を前記主データ信号の前記第二の偏波成分に加えて第二の合成信号を得るよう構成されているデジタル信号プロセッサとを有する、
光送信機。
【請求項２２】
第一の偏波成分および第二の偏波成分を含む主データ信号を生成するよう構成されている主データ源と；
第一の監督信号および第二の監督信号を生成するよう構成されている監督データ源であって、前記第一および第二の監督信号は非相補的な、周波数変調された監督信号である、段階と；
前記第一の監督信号を前記主データ信号の前記第一の偏波成分で変調して第一の合成信号を得るよう構成されている第一の振幅変調器と；
前記第二の監督信号を前記主データ信号の前記第二の偏波成分で変調して第二の合成信号を得るよう構成されている第二の振幅変調器と；
前記第一の合成信号および前記第二の合成信号を組み合わせるよう構成されている偏波ビーム合成器とを有する、
光送信機。
【請求項２３】
合成光信号を解析する光受信機であって：
前記合成光信号から複数の監督信号をフィルタリングするよう構成されている第一のフィルタと；
前記複数の監督信号から情報を抽出するよう構成されているデータ解析コンポーネントとを有しており、前記監督信号は任意の、非相補的な、振幅変調された監督信号である、
光受信機。
【請求項２４】
前記複数の監督信号が異なる周波数をもつ、請求項２３記載の光受信機。
【請求項２５】
前記複数の監督信号が異なる変調振幅をもつ、請求項２３記載の光受信機。
【請求項２６】
前記データ解析コンポーネントが：
解析に先立って前記複数の監督信号を複数の成分に分離するよう構成されている複数のフィルタと；
前記複数の成分から情報を抽出するよう構成されている解析器とを有する、
請求項２３記載の光受信機。
【請求項２７】
前記データ解析コンポーネントが、前記監督信号の個々の成分から波長情報を抽出するよう構成されている、請求項２１記載の光受信機。
【請求項２８】
前記データ解析コンポーネントが、前記監督信号の個々の成分から光路情報を抽出するよう構成されている、請求項２１記載の光受信機。
【請求項２９】
前記監督信号の前記複数の成分が同じ周波数をもつ、請求項２３記載の光受信機。
【請求項３０】
前記監督信号の前記複数の成分を分離するよう構成されている偏波ビームスプリッターをさらに有する、請求項３０記載の光受信機。
【発明の詳細な説明】
【技術分野】
【０００１】
本発明は概括的には光ネットワークの分野に、より詳細にはインバンド監督信号を使った二偏波信号のモニタリングに関する。
【背景技術】
【０００２】
光通信システムの重要性および遍在性が高まるにつれ、光通信システムの適正な動作を保証するために、光通信システムを精確かつ効率的にモニタリングできることがますます重要になっている。精確かつ効率的なモニタリングの重要性は、複数の偏波をもつ成分を含む光トラフィック信号（たとえば二偏波信号）が実装されるにつれて高まる。
【発明の概要】
【発明が解決しようとする課題】
【０００３】
光通信システムをコスト効率のよい仕方でモニタリングするとともに、光通信システムの他のコンポーネントとインラインでモニタリングできることがますます重要である。
【課題を解決するための手段】
【０００４】
本開示のある種の実施形態によれば、二偏波信号をモニタリングするシステムおよび方法が開示される。システムおよび方法は、電気領域または光領域のいずれかにおいて、第一の監督信号を二偏波信号の第一の偏波成分に加えて第一の合成信号を得て、第二の監督信号を二偏波信号の第二の偏波成分に加えて第二の合成信号を得ることを含む。監督信号は任意の、非相補的なものであり、二偏波信号の変調振幅および周波数よりも実質的に低い振幅および周波数で変調される。システムおよび方法はさらに、受領の際に監督信号を解析することを含む。
【図面の簡単な説明】
【０００５】
本発明およびその利点のより完全な理解のために、ここで付属の図面との関連で参酌される以下の記述が参照される。
【図１】本開示のある種の実施形態に基づく、例示的な光伝送システムを示す図である。
【図２】本開示のある種の実施形態に基づく、電気領域で任意の、非相補的な、振幅変調された監督信号を送信するための例示的な監督信号送信機を示す図である。
【図３】本開示のある種の実施形態に基づく、光領域で任意の、非相補的な、振幅変調された監督信号を送信するための例示的な監督信号送信機を示す図である。
【図４】本開示のある種の実施形態に基づく、光領域で任意の、非相補的な、振幅変調された監督信号を送信するための代替的な例示的な監督信号送信機を示す図である。
【図５】本開示のある種の実施形態に基づく、種々の周波数をもつ任意の、非相補的な、振幅変調された監督信号を解析するための例示的な監督信号受信機を示す図である。
【図６】本開示のある種の実施形態に基づく、同じ周波数をもつ任意の、非相補的な、振幅変調された監督信号を解析するための例示的な監督信号受信機を示す図である。
【図７】本開示のある種の実施形態に基づく、光トラフィック信号に関連する監督信号を解析するための例示的な方法のフローチャートである。
【発明を実施するための形態】
【０００６】
本稿での用法では、用語「コンピュータ可読媒体」は、汎用または専用のコンピュータによってアクセスされうる任意の利用可能な媒体でありうる。限定ではなく例として、そのようなコンピュータ可読媒体は、RAM、ROM、EEPROM、CD-ROMまたは他の光ディスク記憶、磁気ディスク記憶または他の磁気記憶デバイスまたはコンピュータ実行可能命令またはデータ構造の形の所望されるプログラム・コード手段を担持または記憶するために使用でき、汎用または専用のコンピュータによってアクセスされうる他の任意の媒体を含む有体のコンピュータ可読媒体でありうる。上記の組み合わせも、コンピュータ可読媒体の範囲内に含まれるべきである。
【０００７】
さらに、「コンピュータ実行可能命令」は、たとえば、汎用コンピュータ、専用コンピュータまたは専用処理装置にある種の機能または機能群を実行させる命令およびデータを含みうる。
【０００８】
本稿での用法では、用語「モジュール」または「コンポーネント」は、コンピューティング・システム上で実行されるソフトウェア・オブジェクトまたはルーチンを指しうる。本稿に記載される種々のコンポーネント、モジュール、エンジンおよびサービスは、コンピューティング・システム上で実行されるオブジェクトまたはプロセスとして（たとえば別個のスレッドとして）実装されてもよいし、ハードウェア、ファームウェアおよび／または三つすべての何らかの組み合わせとして実装されてもよい。
【０００９】
以下は、光通信システムの光トラフィック信号をモニタリングするためのコスト効率のよいインラインの解決策を記述する。本開示は、光通信システムに関連する波長および光路情報をモニタリングするために光通信システムの既存のコンポーネント内で比較的変調深さが低い監督信号をモニタリングするシステムおよび方法を記述する。
【００１０】
遠隔通信システム、ケーブルテレビジョン・システムおよびデータ通信ネットワークは、隔たった点の間で大量の情報を迅速に伝達するために光ネットワークを使う。光ネットワークでは、情報は、光信号の形で、光ファイバーまたは他の光媒体を通じて伝達される。光ネットワークは、光ネットワーク内のさまざまな動作を実行するよう構成されている、増幅器、分散補償器、マルチプレクサ／デマルチプレクサ・フィルタ、波長選択スイッチ、カプラなどといったさまざまなコンポーネントを含みうる。光ネットワークは、源情報、宛先情報および経路制御情報ならびに光ネットワークの他の管理情報を含む光ネットワークに関連する任意の数の特性を示す監督（supervisory）データを通信してもよい。
【００１１】
図１は、本開示のある種の実施形態に基づく例示的な光ネットワーク１００を示している。ネットワーク１００は、送信機１０２、伝送システム１０４および受信機１０６を含んでいてもよい。ネットワーク１００は、光ネットワーク１００のコンポーネントによって通信される一つまたは複数の光信号を搬送するよう構成された一つまたは複数の光ファイバー１１０を含んでいてもよい。ファイバー１０６によって一緒に結合された光ネットワーク１００のネットワーク要素は、一つまたは複数の送信機１０２、一つまたは複数のマルチプレクサ（MUX）１０８、一つまたは複数の増幅器１１２、一つまたは複数の光挿入／分岐マルチプレクサ（OADM:  optical  add/drop  multiplexer）１１４および／または一つまたは複数の分散補償ファイバー１１６を含んでいてもよい。
【００１２】
図１の例示的なシステムは、簡略化されたポイントツーポイントの光システムを示している。ネットワーク１００の一つの特定の形またはトポグラフィーが示されているが、ネットワーク１００は、リング・ネットワーク、メッシュ・ネットワークおよび／または他の任意の好適な光ネットワークおよび／または光ネットワークの組み合わせを含む任意の適切な形を取りうる。
【００１３】
いくつかの実施形態では、送信機１０２は、多偏波光信号を受信機１０６に送信するよう構成された任意の電子装置、コンポーネントおよび／または装置および／またはコンポーネントの組み合わせであってもよい。たとえば、送信機１０２は一つまたは複数のレーザー、プロセッサ、メモリ、デジタル‐アナログ変換器、アナログ‐デジタル変換器、デジタル信号プロセッサ、ビームスプリッター、ビーム合成器、マルチプレクサおよび／または二偏波光信号を受信機１０６に送信するために必要とされる他の任意のコンポーネント、装置および／またはシステムを含んでいてもよい。
【００１４】
いくつかの実施形態では、送信機１０２はさらに、光トラフィック信号とインバンドで監督信号を含めるよう構成されていてもよい。二偏波光信号と一緒の監督信号の一つの特定の実装を記述するシステムおよび方法が、米国特許出願第13/620,102号および13/620,172号においてより詳細に記述される。両出願の内容は参照によってここに組み込まれる。本開示の目的のためには、「光信号」および／または「光トラフィック信号」への言及は、そうでないことが明確に述べられるのでない限り、インバンド監督信号を含むものと想定されるべきである。
【００１５】
ネットワーク１００のいくつかの構成では、二偏波光信号とともにインバンド監督信号を実装することはコスト高になりうる。たとえば、高速の（よって高価な）光検出器、プロセッサおよび／または偏光計を組み込むことが必要になることがある。しかしながら、ネットワーク１００の他の構成では、一つまたは複数の低データレートの監督信号が実装されてもよく、低速の（よってより安価な）光検出器、プロセッサおよび／または偏光計の使用を許容する。いくつかの実施形態では、低データレートの監督信号は、光トラフィック信号のデータ周期よりもずっと長い変調周期をもっていてもよい。同じまたは代替的な実施形態において、低データレートの監督信号は、監督信号が、主データ信号からより簡単に分離されることを許容しうる。
【００１６】
いくつかの実施形態では、送信機１０２は光トラフィック信号を（一つまたは複数のインバンド監督信号とともに）受信機１０６に伝送システム１０４を介して通信してもよい。伝送システム１０４は一般に、以下のコンポーネントを含んでいてもよい：一つまたは複数のファイバー１１０、一つまたは複数のOADM  １１４モジュール、および／または一つまたは複数の増幅器１１２。図１を参照するに、これらのコンポーネントは例解を助けるために与えられており、本開示の範囲を制限することは意図されていない。ネットワーク１００のいくつかの構成では、ネットワーク１００は図１に示されるものより多数、より少数および／または異なるコンポーネントを含んでいてもよい。
【００１７】
さらに、伝送システム１０４のコンポーネントは、ファイバー１１０の使用を通じて互いに通信上結合されてもよい。いくつかの実施形態では、ファイバー１１０は、シングルモード光ファイバーまたは非零分散シフト・ファイバーのような、データを搬送するよう構成されたいかなる適切な光ファイバーであってもよい。伝送システム１０４は、増幅器１１２をも含んでいてもよい。いくつかの実施形態では、増幅器１１２は、受信機１０６へのより効率的な伝送のために（上記の一つまたは複数のインバンド監督信号をもつ）光トラフィック信号を増幅するよう構成されたいかなる増幅器であってもよい。たとえば、増幅器１１２は、光通信システムにとって一般的なエルビウム添加ファイバー増幅器（EDFA:  erbium  doped  fiber  amplifier）であってもよい。いくつかの実施形態では、増幅器１１２は、光トラフィック信号に導入されるある型のノイズの原因となることがある。たとえば、EDFAは、当業者に増幅自発放射（ASE:  amplified  spontaneous  emission）として知られる型のノイズを導入する。
【００１８】
いくつかの実施形態では、増幅器１１２は分散補償ファイバー１１６に通信上結合されていてもよい。分散補償ファイバー１１６は、色分散のような伝送システム１０４に関連する任意の非線形効果を補償するよう構成されたいかなる適切なファイバーおよび／またはファイバーの集合体であってもよい。
【００１９】
いくつかの実施形態では、ネットワーク１００は、一つまたは複数のOADM  １１４をも含んでいてもよい。OADM  １１４は、ネットワークのノードどうしの間および／または諸ノードの間で光の複数の波長を多重化および／または経路制御するよう構成されたいかなる適切なコンポーネントおよび／またはコンポーネントの集合体であってもよい。
【００２０】
いくつかの実施形態では、受信機１０６は、送信機１０２からの多偏波光信号を受信するよう構成されたいかなる電子装置、コンポーネントおよび／または装置および／またはコンポーネントの組み合わせであってもよい。たとえば、送信機１０２は一つまたは複数のレーザー、光変調器、プロセッサ、メモリ、デジタル‐アナログ変換器、アナログ‐デジタル変換器、デジタル信号プロセッサ、ビームスプリッター、ビーム合成器、デマルチプレクサおよび／または送信機１０２から二偏波光信号を受信するために要求される他の任意のコンポーネント、装置および／またはシステムを含んでいてもよい。
【００２１】
いくつかの実施形態では、送信機１０２および受信機１０６は同じ装置に、たとえば相互接続された複数の光ノードを含む光通信ネットワークにおいて、存在していてもよい。同じまたは代替的な実施形態では、送信機１０２および受信機１０６は、互いとローカルにまたはリモートに位置する別個の装置であってもよい。
【００２２】
動作では、送信機１０２は二偏波光トラフィック信号を（上記の一つまたは複数のインバンド監督信号とともに）受信機１０６に伝送システム１０４を介して通信してもよい。二偏波光トラフィック信号の各偏波支流は、任意の、非相補的な、振幅変調された監督信号と多重化されてもよい。いくつかの実施形態では、送信機１０２は、適切な変調方式により二偏波光トラフィック信号を通信してもよい。たとえば、送信機１０２は二偏波光トラフィック信号を、振幅または位相変調技法により受信機１０４に通信してもよい。例解用の例として、送信機１０２は二偏波光トラフィック信号を、直交位相偏波符号化（quadrature  phase-shift  keying）および／または直交振幅変調（quadrature  amplitude  modulation）技法を使って通信してもよい。いくつかの実施形態では、二偏波光トラフィック信号のデータ部分を送信するために使われる変調方式は、監督信号を送信するために使われる変調方式とは異なっていてもよい。たとえば、送信機１０２は監督信号を、図２〜図６を参照して下記でより詳細に述べる、非相補的振幅変調を使って通信してもよい。
【００２３】
いくつかの実施形態では、送信機１０２は、二偏波信号の各偏波支流について監督信号データを生成するよう構成されていてもよい。監督信号データの変調深さは、主たるトラフィック信号データの変調深さより、相対的にずっと小さくてもよい。たとえば、監督信号データは、主たるトラフィック信号データの変調深さの5%である深さで変調されてもよい。同様に、監督信号データの周波数は、主たるトラフィック信号データの周波数より、相対的に実質的に低くてもよい。たとえば、主たるトラフィック・データ信号がGHz帯の周波数をもつのに対して、監督信号データはMHz帯の周波数を有していてもよい。
【００２４】
以下の構成は、理解を助けるための例解用の例として呈示されるのであって、本開示の範囲を限定することは意図されていない。送信機１０２のいくつかの構成では、xおよびy偏波支流についての監督信号データは同じ変調深さをもつが異なる周波数を有していてもよい。たとえば、監督信号のx成分が10MHzの周波数をもちy成分が17MHzの周波数をもつ一方、監督信号のxおよびy成分はいずれも主たるトラフィック・データ信号の振幅の5%で変調されてもよい。
【００２５】
送信機１０２の同じまたは代替的な構成では、xおよびy偏波支流についての監督信号データは異なる変調深さおよび異なる周波数を有していてもよい。たとえば、y成分が5%で変調される一方、監督信号のx成分は主たるトラフィック・データ信号の振幅の3%で変調されてもよい。同様に、y成分が17MHzの周波数をもつ一方、x成分は10MHzの周波数を有していてもよい。
【００２６】
送信機１０２の同じまたは代替的な構成では、xおよびy偏波支流についての監督信号データは異なる変調深さおよび同じ周波数を有していてもよい。たとえば、y成分が5%で変調される一方、監督信号のx成分は主たるトラフィック・データ信号の振幅の3%で変調されてもよい。xおよびy成分の両方がたとえば10MHzの周波数を有していてもよい。
【００２７】
そのような諸構成では、各偏波成分における強度の変調深さは比較的小さい。そのような変調された監督信号データは、各偏波成分の光パフォーマンス・モニタリングのために使用されてもよい。振幅変調された監督信号を導入することは、一定でない全信号パワーにつながることがある。ネットワーク１００の何らかの構成では、これは、ある種の非線形効果に起因するOSNRペナルティを引き起こすことがある。しかしながら、ネットワーク１００のある種の構成は、ネットワーク１００のノードにおいて分散補償モジュール（DCM:  dispersion  compensating  module）がないことを利用してもよい。DCMのない送信は、非線形効果の影響を緩和しうる。
【００２８】
光トラフィック信号とインバンドで通信される監督信号をモニタリングすることによって、ネットワーク１００は、システム１００に関連する波長および光路属性を決定することができうる。
【００２９】
図２は、本開示のある種の実施形態に基づく、電気領域で任意の、非相補的な、振幅変調された監督信号を送信するための例示的な監督信号送信機２００を示している。いくつかの実施形態では、送信機２００は、主データ源２０２、監督データ源２０４、デジタル信号プロセッサ（DSP）２０６、光源２０８、偏波ビームスプリッター２１０、変調器２１６、２１８および偏波ビーム合成器２１４を含んでいてもよい。
【００３０】
いくつかの実施形態では、監督データ源２０４は、図１を参照して上記でより詳細に述べたように、任意の（arbitrary）、非相補的な（non-complementary）、振幅変調された監督信号をDSP  ２０６に提供するよう構成されていてもよい。本開示の目的のためには、非相補的な信号とは、監督信号のx成分の値が監督信号のy成分に等しくなく、監督信号のx成分が監督信号のy成分の反対の値をもたないものであると理解されてもよい。
【００３１】
いくつかの実施形態では、DSP  ２０６および光源２０８は、商業的に入手可能な送信機１０２の一部であってもよい。たとえば、DSP  ２０６は、送信機１０２に統合されたおよび／または送信機１０２の他のコンポーネントと一緒に機能するよう構成された、商業的に入手可能なデジタル信号プロセッサであってもよい。このように、システム２００は、追加的な光コンポーネントを必要としないことによって、デジタル信号プロセッサが送信機１０２と一緒におよび／または送信機１０２内で使用されるネットワーク１００における実装に対する、相対的により低コストの代替を提供するよう構成されうる。
【００３２】
いくつかの実施形態では、DSP  ２０６は、電気領域において主データ源２０２からの主データを監督データ源２０４からのデータと組み合わせるよう構成されていてもよい。それにより、インバンド監督信号変調のために追加的な光コンポーネントは必要とされない。いくつかの構成では、監督信号についての変調振幅は、図１を参照して上記でより詳細に述べたように、主データのレートに比較して遅くてもよい。
【００３３】
いくつかの実施形態では、偏波ビームスプリッター２０４は、光源２０２からの光を複数の偏波成分に分割するよう構成されていてもよい。たとえば、偏波ビームスプリッター２０４は、光源２０２からの光をxおよびy偏波成分に分割するよう構成されていてもよい。たとえば、これらの偏波成分は、単に言及の簡単のため、光のx成分についてはXI（たとえば、x偏波成分の同相（in-phase）部分）およびXQ（たとえばx偏波成分の直交（quadrature）部分）ならびにYI（たとえばy偏波成分の同相部分）およびYQ（たとえばy偏波成分の直交部分）と称されてもよい。
【００３４】
偏波ビームスプリッター２１０は、一つまたは複数の変調器２１６、２１８に通信上結合されていてもよい。変調器２１６、２１８は、与えられた駆動信号に従って、はいってくる信号を変調するよう構成されていてもよい。いくつかの実施形態では、駆動信号は、監督信号データに従って設定されてもよい。いくつかの実施形態では、下記でより詳細に述べるように、適切な駆動信号を決定するために、DSP  ２０６が主データ源２０２および／または監督データ源２０４からのデータを使ってもよい。
【００３５】
例解用の例として、変調器２１６（たとえば、信号のx成分に関連付けられた変調器）のための駆動信号はXI'およびXQ'と記されてもよく、変調器２１８（たとえば、信号のy成分に関連付けられた変調器）のための駆動信号はYI'およびYQ'と記されてもよい。監督データ変調での駆動信号の電場は、式1〜4を参照して下記で述べるように表わされてもよい。式1〜4を参照するに、監督信号のx偏波成分は振幅axおよび周波数fs,xをもつものと記されてもよく、監督信号のy偏波成分は振幅ayおよび周波数fs,yをもつものと記されてもよい。
【００３６】
式1    XI'＝sqrt[1＋axcos(2πfs,xt＋φd)]・XI
式2    XQ'＝sqrt[1＋axcos(2πfs,xt＋φd)]・XQ
式3    YI'＝sqrt[1＋aycos(2πfs,yt＋φd)]・YI
式4    YQ'＝sqrt[1＋aycos(2πfs,yt＋φd)]・YQ
いくつかの実施形態では、偏波ビーム合成器２１４は、変調器２１６、２１８からの信号を多重化された光信号に組み合わせるよう構成されたコンポーネントであってもよい。
【００３７】
送信機２００の上記の構成では、任意の、非相補的な、振幅変調された監督信号の変調のために追加的な光コンポーネントは必要とされなくてもよい。
【００３８】
図３は、本開示のある種の実施形態に基づく、光領域で任意の、非相補的な、振幅変調された監督信号を送信するための例示的な監督信号送信機３００を示す図である。いくつかの実施形態では、送信機３００は、主データ源３１６、監督データ源３１８、光源３０２、偏波ビームスプリッター３０４、変調器３０６、３０８、偏波ビーム合成器３０８および一つまたは複数の振幅変調器３１２、３１４を含んでいてもよい。
【００３９】
いくつかの実施形態では、監督データ源３１８は、図１を参照して上記でより詳細に述べたように、任意の、非相補的な、振幅変調された監督信号をDSP  ２０６に提供するよう構成されていてもよい。本開示の目的のためには、非相補的な信号とは、監督信号のx成分の値が監督信号のy成分に等しくなく、監督信号のx成分が監督信号のy成分の反対の値をもたないものであると理解されてもよい。
【００４０】
いくつかの実施形態では、光源３０２は、ネットワーク１００のためのベース光源を与えるよう構成されたいかなる適切な光源であってもよい。たとえば、光源３０２は、システム３００に光源を提供するよう構成されたレーザーおよびまたはレーザーの組み合わせであってもよい。光源３０２は一つまたは複数の偏波ビームスプリッター３０４に光を送信してもよい。
【００４１】
いくつかの実施形態では、偏波ビームスプリッター３０４は、光源３０２からの光を複数の偏波成分に分割するよう構成されていてもよい。たとえば、偏波ビームスプリッター３０４は、光源３０２からの光をxおよびy偏波成分に分割するよう構成されていてもよい。たとえば、これらの偏波成分は、単に言及の簡単のため、光のx成分についてはXI（たとえば、x偏波成分の同相（in-phase）部分）およびXQ（たとえばx偏波成分の直交（quadrature）部分）ならびにYI（たとえばy偏波成分の同相部分）およびYQ（たとえばy偏波成分の直交部分）と称されてもよい。
【００４２】
偏波ビームスプリッター３０４は、一つまたは複数の変調器３０６、３０８に通信上結合されていてもよい。変調器３０６、３０８は、与えられた駆動信号に従って、はいってくる信号を変調するよう構成されていてもよい。言及の簡単のため、この駆動信号は、図２を参照して上記でより詳細に述べたXI、XQ、YIおよびYQとして参照されてもよい。図２を参照して上記で述べた例示的な送信機２００とは対照的に、送信機３００は、例示的な送信機２００において用いられているデジタル信号プロセッサではなく、追加的な光コンポーネント――変調器３０６、３０８に通信上結合されている振幅変調器３１２、３１４――の使用を通じて、監督信号データを主信号データと多重化するよう構成されていてもよい。
【００４３】
いくつかの実施形態では、振幅変調器３１２、３１４は、適切な振幅変調方式ではいってくる信号を変調するよう構成されたいかなるコンポーネントおよび／またはコンポーネントの組であってもよい。振幅変調器３１２、３１４は、監督データ源３１８からの監督信号データとの関連で、はいってくる信号を変調するよう構成されていてもよい。いくつかの実施形態では、振幅変調深さは、1より実質的に小さくてもよい。監督信号は低いデータレートのために高い感度をもちうるからである。言及の簡単のため、監督信号データは、ds,xと記されるx偏波成分およびds,yと記されるy偏波成分をもつものと記されてもよい。次いで、それぞれの変調された信号は偏波ビーム合成器３１０において組み合わされてもよい。
【００４４】
振幅変調器３１２、３１４は、インバンド監督信号データの光領域での変調を提供するよう構成されていてもよい。
【００４５】
図４は、本開示のある種の実施形態に基づく、光領域で任意の、非相補的な、振幅変調された監督信号を送信するための代替的な例示的な監督信号送信機４００を示している。いくつかの実施形態では、送信機４００は、主データ源４１６、監督データ源４１８、光源４０２、偏波ビームスプリッター４０４、変調器４０６、４０８、偏波ビーム合成器４１０および一つまたは複数の振幅変調器４１２、４１４を含んでいてもよい。
【００４６】
図３を参照して上記で述べた例示的な送信機３００とは対照的に、送信機４００は、二つの信号が偏波ビーム合成器４１０において組み合わされた後に、信号を監督信号データに従って変調するよう構成された振幅変調器４１２、４１４を有するよう構成されていてもよい。そのような構成では、振幅変調器４１２はたとえば、信号のx成分の振幅変調を提供するよう構成されていてもよく、振幅変調器４１４は信号のy成分の振幅変調を提供するよう構成されていてもよい。
【００４７】
図５は、本開示のある種の実施形態に基づく、種々の周波数をもつ任意の、非相補的な、振幅変調された監督信号を解析するための例示的な監督信号受信機５００を示している。いくつかの実施形態では、受信機５００は、データ信号５０２、複数の帯域通過フィルタ（単数または複数）５０６Ａ、５０６Ｂ、一つまたは複数のフォトダイオード５０４および一つまたは複数のデータ解析コンポーネント５０８を含んでいてもよい。
【００４８】
いくつかの実施形態では、データ信号５０２は、図１を参照して上記でより詳細に述べたように、光トラフィック信号を、重畳された監督信号と一緒に含んでいてもよい。データ信号５０２は、一つまたは複数のフォトダイオード５０４に入射してもよい。いくつかの実施形態では、フォトダイオード５０４は、光信号を電気信号に変換するよう構成されたいかなるコンポーネントであってもよい。たとえば、フォトダイオード５０４は、監督信号の比較的低い変調速度のため、比較的低速なフォトダイオードであってもよい。ひとたび監督信号データが変換されたら、該監督信号データは一つまたは複数の帯域通過フィルタ５０６に通信されてもよい。
【００４９】
帯域通過フィルタ５０６Ａ、５０６Ｂは、監督信号のx成分およびy成分を抽出するよう構成されていてもよい。たとえば、帯域通過フィルタ（BPF:  bandpass  filter）５０６は、監督信号のxおよび／またはy成分を通過させるよう構成された同調可能なBPFであってもよい。監督信号データの偏波成分は異なる周波数をもつので、二つの監督信号データ成分は周波数領域では互いから分かれており、BPF  ５０６の使用を通じて分離されうる。たとえば、帯域通過フィルタ５０６Ａは、監督信号データのx成分に関連した周波数（たとえば10MHz）をフィルタリングするよう構成されていてもよく、一方、帯域通過フィルタ５０６Ｂは、監督信号データのy成分に関連した周波数（たとえば17MHz）をフィルタリングするよう構成されていてもよい。ひとたび監督信号データが単離されたら、該監督信号データは一つまたは複数のデータ解析コンポーネント５０８に通信されてもよい。
【００５０】
いくつかの実施形態では、データ解析コンポーネント５０８は、抽出された監督信号を解析するよう構成されたいかなるコンポーネントであってもよい。たとえば、データ解析コンポーネント５０８は、パワー・メーター、デジタル信号プロセッサ、マイクロプロセッサ、マイクロコントローラおよび／または抽出された監督信号データを解析するよう構成された任意の適切なコンポーネントを含んでいてもよい。たとえば、データ解析コンポーネント５０８は、光パワー・レベルについて抽出された監督信号データを解析するよう構成されたパワー・メーターであってもよい。もう一つの例として、データ解析コンポーネント５０８は、抽出された監督信号データから光路情報を集めるよう構成されたマイクロプロセッサであってもよい。
【００５１】
いくつかの実施形態では、受信機５００に含まれるコンポーネントの比較的低いコストのため、受信機５００はネットワーク１００においてインラインで実装されうる。同じまたは代替的な実施形態において、受信機５００のコンポーネントは、スタンドアローンの光受信機および／または光受信機（単数または複数）の他の任意の適切な構成に含まれてもよい。
【００５２】
図６は、本開示のある種の実施形態に基づく、同じ周波数をもつ任意の、非相補的な、振幅変調された監督信号を解析するための例示的な監督信号受信機６００を示している。いくつかの実施形態では、受信機６００は、データ信号６０２、偏波コントローラ６０４、偏波ビームスプリッター６０６、複数の帯域通過フィルタ（単数または複数）６１０Ａ、６１０Ｂ、一つまたは複数のフォトダイオード６０８および一つまたは複数のデータ解析コンポーネント６１２を含んでいてもよい。
【００５３】
いくつかの実施形態では、データ信号６０２は、図１を参照して上記でより詳細に述べたように、光トラフィック信号を、重畳された監督信号と一緒に含んでいてもよい。データ信号６０２は偏波コントローラ６０４に入射してもよい。いくつかの実施形態では、偏波コントローラ６０４は、データ信号６０２の偏波状態（SOP:  state  of  polarization）を正規化するよう構成されたいかなるコンポーネントであってもよい。たとえば、偏波コントローラ６０４は、偏波状態を45度に設定するよう構成された偏波コントローラであってもよい。偏波コントローラ６０４は、偏波ビームスプリッター６０６に通信上結合されていてもよく、偏波ビームスプリッター６０６はSOPが正規化されたデータ信号の偏波成分を分離するよう構成されていてもよい。
【００５４】
いくつかの実施形態では、図１を参照して上記でより詳細に述べたように、監督信号データの偏波成分は異なる振幅変調深さをもつが同じ周波数をもつのでもよい。ネットワーク１００のそのような構成では、偏波ビームスプリッター６０６は、監督信号の偏波成分を分離するために受信機６００に含まれてもよい。偏波ビームスプリッター６０６は複数のフォトダイオード６０８Ａ、６０８Ｂに通信上結合されていてもよい。
【００５５】
いくつかの実施形態では、フォトダイオード６０８Ａ、６０８Ｂは、光信号を電気信号に変換するよう構成されたいかなるコンポーネントであってもよい。たとえば、フォトダイオード６０８Ａ、６０８Ｂは、監督信号の比較的低い変調速度のため、比較的低速なフォトダイオードであってもよい。フォトダイオード６０８Ａ、６０８Ｂは一つまたは複数の帯域通過フィルタ６１０に通信上結合されていてもよい。
【００５６】
帯域通過フィルタ６１０Ａ、６１０Ｂは、監督信号のx成分およびy成分を抽出するよう構成されていてもよい。たとえば、帯域通過フィルタ（BPF:  bandpass  filter）６１０は、監督信号のxおよび／またはy成分を通過させるよう構成された同調可能なBPFであってもよい。たとえば、帯域通過フィルタ６１０Ａ、６１０Ｂは、監督信号データの偏波成分に関連した周波数（たとえば10MHz）をフィルタリングするよう構成されていてもよい。帯域通過フィルタ６１０Ａ、６１０Ｂは一つまたは複数のデータ解析コンポーネント６１２に通信上結合されていてもよい。
【００５７】
いくつかの実施形態では、データ解析コンポーネント６１２は、抽出された監督信号を解析するよう構成されたいかなるコンポーネントであってもよい。たとえば、データ解析コンポーネント６１２は、パワー・メーター、デジタル信号プロセッサ、マイクロプロセッサ、マイクロコントローラおよび／または抽出された監督信号データを解析するよう構成された任意の適切なコンポーネントを含んでいてもよい。たとえば、データ解析コンポーネント６１２は、光パワー・レベルについて抽出された監督信号データを解析するよう構成されたパワー・メーターであってもよい。もう一つの例として、データ解析コンポーネント６１２は、抽出された監督信号データから光路情報を集めるよう構成されたマイクロプロセッサであってもよい。
【００５８】
いくつかの実施形態では、受信機６００の所望される構成に依存して、監督信号データの異なる偏波成分の解析が、同じおよび／または異なるデータ解析コンポーネント６１２によって扱われてもよい。
【００５９】
いくつかの実施形態では、受信機６００に含まれるコンポーネントの比較的低いコストのため、受信機６００はネットワーク１００においてインラインで実装されうる。同じまたは代替的な実施形態において、受信機６００のコンポーネントは、スタンドアローンの光受信機および／または光受信機（単数または複数）の他の任意の適切な構成に含まれてもよい。
【００６０】
図７は、本開示のある種の実施形態に基づく、光トラフィック信号に関連する監督信号を解析するための例示的な方法７００のフローチャートである。方法７００は、任意の、非相補的な、振幅変調された監督信号を導入し、主データ信号から監督信号データをフィルタリングし、監督信号データを解析することを含んでいてもよい。
【００６１】
ある実施形態によれば、方法７００は７０２において開始されてもよい。本開示の教示は、多様な構成において実装されうる。よって、方法７００のための好ましい初期化点および方法７００をなす７０２〜７１０の順序は、選択される実装に依存しうる。
【００６２】
７０２において、方法７００は、図１〜図４を参照して上記でより詳細に述べたように監督信号データを電気領域において導入するか光領域において導入するかを決定してもよい。監督信号が電気領域を介して導入される場合には、方法７００は段階７０４に進んでもよい。監督信号が光領域を介して導入される場合には、方法７００は段階７０６に進んでもよい。
【００６３】
段階７０４では、方法７００は、図１〜図２を参照して上記でより詳細に述べたように、電気領域において監督信号を光データ信号に導入してもよい。たとえば、方法７００は、二偏波データ信号にx成分およびy成分の両方をもつ監督信号を導入してもよい。いくつかの実施形態では、これは、デジタル信号プロセッサを使って監督データ源からの監督信号データを主データ源からの主信号データと組み合わせることを含んでいてもよい。監督信号データを導入したあと、方法７００は段階７０８に進んでもよい。
【００６４】
再び段階７０６を参照するに、方法７００は、図１および図３〜図４を参照して上記でより詳細に述べたように、光領域において監督信号を光データ信号に導入してもよい。たとえば、方法７００は、二偏波データ信号にx成分およびy成分の両方をもつ監督信号を導入してもよい。いくつかの実施形態では、これは、複数の振幅変調器を使って監督信号データを用いて主信号データを変調することを含んでいてもよい。監督信号データを導入したあと、方法７００は段階７０８に進んでもよい。
【００６５】
段階７０８では、方法７００は、組み合わされた光データ信号をネットワーク１００の残りを通じて通信してもよい。たとえば、送信機１０２は、組み合わされた光データ信号（たとえば、主データおよび監督信号の組み合わせ）をトラフィック・システム１０２の別のコンポーネントに通信してもよい。組み合わされた光データ信号を通信したのち、方法７００は段階７１０に進んでもよい。
【００６６】
段階７１０では、方法７００は、図１〜図６を参照して上記でより詳細に述べた監督信号データに含まれる情報を決定するために、受信された組み合わされた光データ信号を解析してもよい。たとえば、方法７００は、複数のフィルタ、フォトダイオードおよび／またはデータ解析コンポーネントを使って、監督信号の個々の偏波成分を、組み合わされた光データ信号から分離してもよい。図５〜図６を参照して上記でより詳細に述べたように、これはネットワーク１００とインラインでおよび／または受信機１０２のある種のコンポーネントによってなされてもよい。いくつかの実施形態では、解析は、監督信号に関連するある種の情報、たとえば光パワー、光路情報などを判別することを含んでいてもよい。組み合わされた光データ信号を解析したのち、方法７００は段階７０２に戻って、再びプロセスを開始してもよい。
【００６７】
図７は、方法７００に関して特定の数の段階が行なわれることを開示しているが、方法７００は図７に描かれるより多数または少数で実行されてもよい。たとえば、ネットワーク１００のいくつかの構成では、監督信号データの解析は、組み合わされた光データ信号のさらなる通信と同時に（たとえば、インライン解析を実行するときに）行なわれてもよい。さらに、ネットワーク１００のいくつかの構成では、主データ信号データおよび監督信号データの電気領域および／または光領域両方での組み合わせが実行されてもよい。
【００６８】
以上の実施例を含む実施形態に関し、さらに以下の付記を開示する。
（付記１）
二偏波信号をモニタリングする方法であって：
電気領域において、第一の監督信号を前記二偏波信号の第一の偏波成分に加えて第一の合成信号を得る段階と；
電気領域において、第二の監督信号を前記二偏波信号の第二の偏波成分に加えて第二の合成信号を得る段階とを含み、
前記第一および第二の監督信号は：
非相補的なものであり、
前記二偏波信号の振幅よりも実質的に低い振幅で変調される、
方法。
（付記２）
前記第一および第二の監督信号が異なる変調振幅をもつ、付記１記載の方法。
（付記３）
前記第一および第二の監督信号が異なる周波数をもつ、付記１記載の方法。
（付記４）
前記第一の合成信号および前記第二の合成信号を合成データ信号に組み合わせる段階をさらに含む、付記１記載の方法。
（付記５）
前記第一の監督信号を前記合成データ信号からフィルタリングする段階をさらに含む、付記４記載の方法。
（付記６）
前記第一の監督信号を解析して前記二偏波信号の前記第一の偏波成分に関連する波長情報を判別する段階をさらに含む、付記５記載の方法。
（付記７）
前記第一の監督信号を解析して前記二偏波信号の前記第一の偏波成分に関連する光路情報を判別する段階をさらに含む、付記５記載の方法。
（付記８）
前記第二の監督信号を前記合成データ信号からフィルタリングする段階をさらに含む、付記４記載の方法。
（付記９）
前記第二の監督信号を解析して前記二偏波信号の前記第二の偏波成分に関連する波長情報を判別する段階をさらに含む、付記８記載の方法。
（付記１０）
前記第二の監督信号を解析して前記二偏波信号の前記第二の偏波成分に関連する光路情報を判別する段階をさらに含む、付記９記載の方法。
（付記１１）
二偏波信号をモニタリングする方法であって：
光領域において、第一の監督信号を前記二偏波信号の第一の偏波成分に加えて第一の合成信号を得る段階と；
光領域において、第二の監督信号を前記二偏波信号の第二の偏波成分に加えて第二の合成信号を得る段階とを含み、
前記第一および第二の監督信号は：
非相補的なものであり、
前記二偏波信号の振幅よりも実質的に低い振幅で変調される、
方法。
（付記１２）
前記第一および第二の監督信号が異なる変調振幅をもつ、付記１１記載の方法。
（付記１３）
前記第一および第二の監督信号が異なる周波数をもつ、付記１１記載の方法。
（付記１４）
前記第一の合成信号および前記第二の合成信号を合成データ信号に組み合わせる段階をさらに含む、付記１１記載の方法。
（付記１５）
前記第一の監督信号を前記合成データ信号からフィルタリングする段階をさらに含む、付記１４記載の方法。
（付記１６）
前記第一の監督信号を解析して前記二偏波信号の前記第一の偏波成分に関連する波長情報を判別する段階をさらに含む、付記１５記載の方法。
（付記１７）
前記第一の監督信号を解析して前記二偏波信号の前記第一の偏波成分に関連する光路情報を判別する段階をさらに含む、付記１５記載の方法。
（付記１８）
前記第二の監督信号を前記合成データ信号からフィルタリングする段階をさらに含む、付記１４記載の方法。
（付記１９）
前記第二の監督信号を解析して前記二偏波信号の前記第二の偏波成分に関連する波長情報を判別する段階をさらに含む、付記１８記載の方法。
（付記２０）
前記第二の監督信号を解析して前記二偏波信号の前記第二の偏波成分に関連する光路情報を判別する段階をさらに含む、付記１９記載の方法。
（付記２１）
第一の偏波成分および第二の偏波成分を含む主データ信号を生成するよう構成されている主データ源と；
第一の監督信号および第二の監督信号を生成するよう構成されている監督データ源であって、前記第一および第二の監督信号は非相補的な、周波数変調された監督信号である、段階と；
前記第一の監督信号を前記主データ信号の前記第一の偏波成分に加えて第一の合成信号を得て、前記第二の監督信号を前記主データ信号の前記第二の偏波成分に加えて第二の合成信号を得るよう構成されているデジタル信号プロセッサとを有する、
光送信機。
（付記２２）
第一の偏波成分および第二の偏波成分を含む主データ信号を生成するよう構成されている主データ源と；
第一の監督信号および第二の監督信号を生成するよう構成されている監督データ源であって、前記第一および第二の監督信号は非相補的な、周波数変調された監督信号である、段階と；
前記第一の監督信号を前記主データ信号の前記第一の偏波成分で変調して第一の合成信号を得るよう構成されている第一の振幅変調器と；
前記第二の監督信号を前記主データ信号の前記第二の偏波成分で変調して第二の合成信号を得るよう構成されている第二の振幅変調器と；
前記第一の合成信号および前記第二の合成信号を組み合わせるよう構成されている偏波ビーム合成器とを有する、
光送信機。
（付記２３）
合成光信号を解析する光受信機であって：
前記合成光信号から複数の監督信号をフィルタリングするよう構成されている第一のフィルタと；
前記複数の監督信号から情報を抽出するよう構成されているデータ解析コンポーネントとを有しており、前記監督信号は任意の、非相補的な、振幅変調された監督信号である、
光受信機。
（付記２４）
前記複数の監督信号が異なる周波数をもつ、付記２３記載の光受信機。
（付記２５）
前記複数の監督信号が異なる変調振幅をもつ、付記２３記載の光受信機。
（付記２６）
前記データ解析コンポーネントが：
解析に先立って前記複数の監督信号を複数の成分に分離するよう構成されている複数のフィルタと；
前記複数の成分から情報を抽出するよう構成されている解析器とを有する、
付記２３記載の光受信機。
（付記２７）
前記データ解析コンポーネントが、前記監督信号の個々の成分から波長情報を抽出するよう構成されている、付記２１記載の光受信機。
（付記２８）
前記データ解析コンポーネントが、前記監督信号の個々の成分から光路情報を抽出するよう構成されている、付記２１記載の光受信機。
（付記２９）
前記監督信号の前記複数の成分が同じ周波数をもつ、付記２３記載の光受信機。
（付記３０）
前記監督信号の前記複数の成分を分離するよう構成されている偏波ビームスプリッターをさらに有する、付記３０記載の光受信機。
【００６９】
【符号の説明】
【００７０】
１００  光ネットワーク
１０２  送信機
１０４  伝送システム
１０６  受信機
１０８  マルチプレクサ（MUX）
１１０  光ファイバー
１１２  増幅器
１１４  光挿入／分岐マルチプレクサ（OADM）
１１６  分散補償ファイバー
２００  監督信号送信機
２０２  主データ源
２０４  監督データ源
２０６  デジタル信号プロセッサ（DSP）
２０８  光源
２１０  偏光ビームスプリッター
２１４  偏光ビーム合成器
２１６、２１８  変調器
３００  監督信号送信機
３０２  光源
３０４  偏光ビームスプリッター
３０６、３０８  変調器
３０８  偏光ビーム合成器
３１２、３１４  振幅変調器
３１６  主データ源
３１８  監督データ源
４００  監督信号送信機
４０２  光源
４０４  偏光ビームスプリッター
４０６、４０８  変調器
４１０  偏光ビーム合成器
４１２、４１４  振幅変調器
４１６  主データ源
４１８  監督データ源
５００  監督信号受信機
５０２  データ信号
５０４  フォトダイオード
５０６  帯域通過フィルタ
５０８  データ解析コンポーネント
６００  監督信号受信機
６０２  データ信号
６０４  偏波コントローラ
６０６  偏波ビームスプリッター
６０８  フォトダイオード
６１０  帯域通過フィルタ
６１２  データ解析コンポーネント
７００  光トラフィック信号に関連する監督信号を解析するための例示的な方法
７０２  SVを電気領域で導入するか光領域で導入するか？
７０４  監督信号を電気領域で導入
７０６  監督信号を光領域で導入
７０８  合成光データ信号を通信
７１０  受信された合成光データ信号を解析
【図１】
2015089123.tif 000003
【図２】
2015089123.tif 000004
【図３】
2015089123.tif 000005
【図４】
2015089123.tif 000006
【図５】
2015089123.tif 000007
【図６】
2015089123.tif 000008
【図７】
2015089123.tif 000009